(57)【特許請求の範囲】
【請求項１】
交流の入力電圧をリップルのある周期的な直流電圧に変換する整流ブリッジ回路と、前記整流ブリッジ回路の正極と負極との間に直列に２個接続されたコンデンサと、前記整流ブリッジ回路の一方の入力ラインと前記直列に２個接続されたコンデンサの中点との間に接続された機械接点を有する電圧切替スイッチと、前記直流電圧の電圧値を検出可能な直流電圧検出回路と、前記電圧切替スイッチのオンとオフを制御する制御部と、を備え、
前記電圧切替スイッチをオンした時、その時の前記直流電圧の電圧値に応じた突入電流が前記電圧切替スイッチに流れ、
前記直流電圧検出回路により検出した電圧値により定まるスイッチオン基準点から、所定のインターバル時間を経過した後に、前記電圧切替スイッチをオンするものであって、
前記電圧切替スイッチがオンする毎に、前記インターバル時間を変化させることを特徴とする冷蔵庫。
【発明の詳細な説明】
【技術分野】
【０００１】
本発明は、冷蔵庫に関する。
【背景技術】
【０００２】
本技術分野の従来技術として、例えば特許第３１５９５２４号公報（特許文献１）がある。
【０００３】
この特許文献１には、交流入力電圧を高低２種類の直流電圧に変換するための機能に関する内容の記述があり、
「整流部は、４個の整流ダイオードを２相ブリッジ結線されたブリッジ回路と、前記ブリッジ回路の正極と負極との間に直列に接続された２個のコンデンサと、前記ブリッジ回路の一方の入力と前記コンデンサの中点との間に接続されたスイッチとからなり、整流部切り替え回路が、高い電圧に切り替える時には前記スイッチをオンし、前記整流切り替え回路が低い電圧に切り替える時には前記スイッチをオフするようにした」
と記載されている。
【先行技術文献】
【特許文献】
【０００４】
【特許文献１】特許第３１５９５２４号公報
【発明の概要】
【発明が解決しようとする課題】
【０００５】
しかしながら、前記の電圧を切り替えるためのスイッチをオンした時には、コンデンサに大きな突入電流（コンデンサの充電電流）が発生し、前記突入電流は前記スイッチに流れる。前記突入電流が発生した時には、スイッチの接点抵抗により接点が発熱する。
【０００６】
特許文献１では、スイッチのオンオフ条件について記載されているものの、スイッチがオンした際の突入電流による影響について触れられていない。スイッチの種類において、例えばリレーのような機械接点を持つ部品であった場合、前記突入電流が大きいほど接点が高温となり、接点の材料や特性によってはスイッチ表面の材料が溶融し、接点溶着に至り故障となる可能性がある。
【０００７】
尚、前記突入電流の大きさは、スイッチがオンするタイミングにより異なり、交流電源および整流後の直流電圧の電圧値による影響が大きい。
【０００８】
交流電源の整流後の電圧値が、直流電圧値より大きくなる場合にコンデンサへの充電がされるため、スイッチがオンされた時に、前記整流後の電圧値が直流電圧値より高ければ高いほど、コンデンサへの突入電流も大きくなる傾向がある。
【０００９】
この時、前記スイッチをオンするタイミングを制御しない場合、交流電源電圧および直流電圧値のどのタイミングでスイッチがオンされるかを定められないため、スイッチオン時の突入電流の大きさも、スイッチオンする毎に異なる。つまり、大きい突入電流が発生する頻度、および突入電流が小さくおさまる頻度は、不明である。このような状態においては、突入電流の大きさに偏りが生じ、大きな突入電流が頻繁に発生してしまうようなことになると、特に接点溶着故障のリスクが高い。
【００１０】
冷蔵庫など家電製品などの場合、一般的に１０年以上使用することが想定され、長時間使用された場合、スイッチをオンオフする回数は多くなり、前述のような接点溶着に至るリスクが更に高い。
【００１１】
そこで、本発明の目的は、前記スイッチがオンするタイミングを任意にずらすような制御を行うことにより、スイッチの接点に発生する突入電流の大きさの偏りを減少させ、スイッチの接点溶着故障のリスクを軽減させることにより、信頼性の高い評価を可能とするとともに、信頼性の高い冷蔵庫を提供することにある。
【課題を解決するための手段】
【００１２】
上述した課題を解決するための第１の本発明は、
交流の入力電圧をリップルのある周期的な直流電圧に変換する整流ブリッジ回路と、前記整流ブリッジ回路の正極と負極との間に直列に２個接続されたコンデンサと、前記整流ブリッジ回路の一方の入力ラインと前記直列に２個接続されたコンデンサの中点との間に接続された機械接点を有する電圧切替スイッチと、前記直流電圧の電圧値を検出可能な直流電圧検出回路と、前記電圧切替スイッチのオンとオフを制御する制御部と、を備え、前記電圧切替スイッチをオンした時、その時の前記直流電圧の電圧値に応じた突入電流が前記電圧切替スイッチに流れ、前記直流電圧検出回路により検出した電圧値により定まるスイッチオン基準点から、所定のインターバル時間を経過した後に、前記電圧切替スイッチをオンするものであって、前記電圧切替スイッチがオンする毎に、前記インターバル時間を変化させる冷蔵庫である。これにより、交流電源および整流後の直流電圧に対し、電圧切替スイッチがオンされるタイミングはオンする毎に変動し、同時にスイッチオン時の突入電流の大きさもスイッチがオンされる毎に変化する。
また、上述した課題を解決するための第２の本発明は、
直列に２つ接続されて、交流電源が接続されるそれぞれの入力ラインに電気的に接続されたコンデンサと、
前記入力ラインの一方及び前記２つのコンデンサの間にそれぞれ電気的に接続されて、機械接点を有する電圧切替スイッチと、
該電圧切替スイッチのオンとオフを制御する制御部と、を備え、
前記電圧切替スイッチをオンした時、その時の前記交流電源が出力する電圧の電圧値に応じた突入電流が前記電圧切替スイッチに流れ、
前記制御部は、前記電圧切替スイッチをオンさせるタイミングを、前記コンデンサの放電区間に分散させる回路である。
【発明の効果】
【００１３】
電圧切替スイッチがオンするタイミングを制御し、前記電圧切替スイッチをオンした時に発生する突入電流の大きさを分散化させて、突入電流の大きさの偏りを抑制することにより、電圧切替スイッチの信頼性の評価を容易化し、電圧切替スイッチの接点溶着に至る故障のリスクを低減させた信頼性の高い冷蔵庫を提供することができる。
【図面の簡単な説明】
【００１４】
【図１】本発明の実施形態に係る冷蔵庫の正面外形図である。
【図２】本発明の実施形態に係る冷蔵庫内の構成を表す図１のＸ−Ｘ断面図である。
【図３】本発明の実施形態に係る冷蔵庫に搭載される電圧整流回路およびインバータ回路に関するブロック図である。
【図４】交流電源からインバータ回路の直流電圧まで変換される電圧図である。
【図５】電圧切替スイッチをオンするタイミングを制御する手順を示すフローチャートである。
【図６】本発明の実施形態に係る電圧切替タイミングである。
【発明を実施するための形態】
【００１５】
以下、本発明の一実施形態を図面に基づいて説明する。
まず、本発明の実施形態に係る冷蔵庫を図１から図２に基づいて説明する。図１は、本発明の実施形態に係る冷蔵庫の正面外形図である。図２は、冷蔵庫内の構成を表す図１のＸ−Ｘ断面図である。
【００１６】
図１において、冷蔵庫本体１は上方から、冷蔵室２，下段冷凍室５，野菜室６が配列されている。また、製氷室３と上段冷凍室５が、冷蔵室２と下段冷凍室５との間に左右に並べて設けられている。一例として、冷蔵室２及び野菜室６は、およそ３〜５℃の冷蔵温度帯の貯蔵室であり、製氷室３，上段冷凍室４及び下段冷凍室５は、およそ−１８℃の冷凍温度帯の貯蔵室となっている。
【００１７】
冷蔵室２の前面開口部は、左右に分割された観音開き（フレンチドアともいう）の冷蔵室扉２ａ，２ｂを備えている。製氷室３，上段冷凍室４，下段冷凍室５，野菜室６は、それぞれ引き出し式の製氷室扉３ａ，上段冷凍室扉４ａ，下段冷凍室扉５ａ，野菜室扉６ａを備えている。また、各扉の貯蔵室側の面には、各扉の外縁に沿うようにパッキング（図示せず）が設けられており、各扉の閉鎖時、貯蔵室内への外気の侵入、及び貯蔵室からの冷気漏れを抑制する構造となっている。
【００１８】
図２において、冷蔵庫本体１の庫外と庫内は、内箱１ｂと外箱１ａとの間に断熱層として発泡断熱材（発泡ポリウレタンフォーム）を充填して形成した断熱箱体１０によって断熱的に区画されている。図２において、本実施形態の冷蔵庫本体１は、冷却手段として圧縮機２２と冷却器７を備えている。圧縮機２２は機械室３９内に配設され、冷却器７（一例として、フィンチューブ型熱交換器）は、下段冷凍室５の背面部に備えられた冷却器収納室８内に収納されている。また、冷却器収納室８内であって冷却器７の上方には、送風手段として送風機９（一例として、プロペラファン）が取り付けられている。冷却器７と熱交換して冷やされた空気（以下、冷却器７で熱交換した低温の空気を「冷気」という）は、送風機９によって冷蔵室送風ダクト１１，冷凍室送風ダクト１２を介して、冷蔵室２，野菜室６，上段冷凍室４，下段冷凍室５，製氷室３の各貯蔵室へそれぞれ送られる。
【００１９】
図３は、本発明の実施形態に係る冷蔵庫に搭載される電圧整流回路およびインバータ回路に関するブロック図である。
【００２０】
電源となる単相交流電圧５０を、整流ブリッジ回路５１にて整流して、コンデンサ５２ａと５２ｂにて安定した直流電圧に変換する。この直流電圧をインバータ回路５４の電源として用い、圧縮機２２を運転する。尚、電圧切替スイッチ５３は交流電圧を直流電圧に変換した全波整流と、交流電圧を２倍の直流電圧に変換する倍電圧整流を切り分ける用途として用いられ、電圧切替スイッチ５３がオフ時には全波整流となり、オン時には倍電圧整流となる。前記電圧切替スイッチ５３は、制御部５５から出力される信号（オン／オフ）により切り替えられる。
【００２１】
尚、インバータ冷蔵庫では、必要に応じ圧縮機２２の回転数を変更する。一般的には、冷蔵庫内の温度が設定温度との温度差が小さい場合は大きな冷却力は不要であり、圧縮機２２の回転数は小さいが、設定温度との温度差が大きい場合には大きな冷却力が必要なため、圧縮機２２の回転数は大きくする。このように、必要に応じ、圧縮機２２の回転数を変化させている。
【００２２】
一方、圧縮機２２の回転数が小さい時、インバータ回路５４で必要なパワーも小さいため、インバータ回路５４の電源電圧は全波整流の電圧で運転するが、圧縮機２２の回転数が大きい時には、インバータ回路５４で必要なパワーが大きくなるため、インバータ回路５４の電源電圧は全波整流の電圧では不足し、倍電圧整流の電圧を必要とするため、電圧切替スイッチ５３をオンすることにより、インバータ回路５４へ倍電圧整流の電源電圧を供給する。前記電圧切替スイッチ５３をオンする閾値は、圧縮機２２の回転数やインバータ回路５４の圧縮機制御における直流電圧利用率などを用いる。
【００２３】
また、制御部５５から、インバータ駆動用の信号がインバータ回路５４に出力され、圧縮機２２を駆動する。圧縮機駆動制御には、インバータ回路５４の電源電圧値を制御パラメータとして用いる場合があるため、直流電圧検出回路５６を用いて制御部５５で疑似的にインバータ回路５４の電源電圧を検出する機能を設けておく。尚、直流電圧検出回路５６は、抵抗５６ａと５６ｂを直列接続して分圧した電圧値を制御部５５で検出し、直列接続した抵抗の分圧比率により間接的にインバータ回路５４の電源電圧の検出が可能である。
【００２４】
前述の通り、インバータ回路５４へ倍電圧の電源電圧を供給する場合には、電圧切替スイッチ５３をオンする必要があるが、オンした時にはコンデンサ５２に充電電流として、突入電流が発生する。この突入電流は前記電圧切替スイッチ５３の接点部を流れる電流となるが、例えば電圧切替スイッチ５３として使用されるリレーなどでは、接点抵抗が存在し、突入電流と接点抵抗により単発的な大きなエネルギーが発生し接点発熱に至る。
【００２５】
接点の発熱が大きい場合、瞬時的に接点材料の溶融または酸化などの恐れがある。一般的に、接点の溶融や酸化が繰り返されると、経年劣化により、接点寿命に至り接点がオンした時に接点の溶着に至ってしまう可能性がある。尚、前記接点寿命の考え方として、突入電流が大きい状態が継続するほど接点寿命は短時間となってしまうことが一般的であり、突入電流を抑制することが望ましい。
【００２６】
突入電流の大小は、接点がオンされた時の単相交流電源の電圧に依存する。例えば、交流電源のピーク電圧近傍で接点がオンされると、コンデンサ５２の持つ電圧値より大きな電圧が突然発生するためコンデンサ５２への充電電流が大きくなる。対して、交流電源のゼロ電圧近傍で接点がオンされると、コンデンサ５２の持つ電圧値より小さい電圧から徐々に電圧値が上昇していく形となり、突入電流は小さくなる。
【００２７】
このため、突入電流を小さくするために、半導体スイッチなどの場合はゼロクロス切替機能を持つものがあり、交流電源のゼロ電圧点近傍で半導体スイッチをオンすることが可能なものが存在する。しかし、機械接点を持つリレーなどにおいては、リレーにオン信号を与えてから接点がオンするまでのリレー動作時間があり、また前記リレー動作時間にもリレー毎の特性バラツキも存在するため、特定のタイミングで接点をオンすることは困難である。このような背景から、現状は、リレーの接点をオンするタイミングは特に定めておらず、突入電流の大小は全く不明であった。
【００２８】
しかしながら、この場合は最悪のケースを想定すると、毎回突入電流が大きく流れてしまうタイミングでリレーの接点がオンし続けるケースであり、このような場合は接点寿命に至る時間が非常に短くなる。逆に、突入電流が小さい状態が継続するようであれば、接点寿命に至る時間は非常に長い。つまり、リレーの接点に流れる突入電流の大小が不明であれば、接点寿命に至るまでの時間の推定も不可能であり、リレー接点の信頼性の評価が難しい面がある。
【００２９】
そこで、リレーのように接点を持つスイッチであり、接点を特定のタイミングでオンすることのできないものでも、接点寿命までの時間やオン回数の推定を可能とし、安定した信頼性評価を可能とし、品質を確保する手段を提供する。
【００３０】
本手段は、交流電源の所定の電圧箇所を起点とし、接点をオンする毎に、接点オンのタイミングをずらすことにより、突入電流の大小の分散化を行うことである。つまり、冷蔵庫におけるリレー接点の生涯オン回数における、突入電流の大小の回数が均一になるようにすることにより、リレー接点オン毎の突入電流の大小に偏りが発生しない。突入電流の大小に偏りが発生しないことにより、接点寿命に至るまでのリレー接点オン回数も偏りが発生せず、品質を確保するための安定した信頼性評価が可能である。
【００３１】
本手段の詳細に関し下記の通り説明する。
図４に、交流電源からインバータ回路５４の直流電圧まで変換される電圧を示す。
前述の通り、インバータ回路５４の電源電圧は、整流ブリッジ回路５１とコンデンサ５２ａと５２ｂにて直流電圧に変換したものを用いる。先ず、冷蔵庫の電源電圧は一般的に単相交流電源を用いており、整流ブリッジ回路５１により変換され全波整流電圧となる。更には整流ブリッジ回路５１の後段にコンデンサ５２を設けていることから、コンデンサ５２への充電（Ａ−Ｂ区間）とインバータ回路５４への放電（Ｂ−Ｃ区間）の繰り返しが行われる直流電圧になり、前記直流電圧は脈動しリップル電圧が発生する。例えば１００Ｖ，５０Ｈｚの交流電源だった場合、前記整流ブリッジ回路５１により１００Ｈｚの全波整流電圧波形となり、これをコンデンサ５２で充放電されることにより１００Ｈｚのリップル電圧が発生する直流電圧が作られることになる。
【００３２】
前述の直流電圧がもつリップル電圧の電圧変動を、直流電圧検出回路５６と制御部５５５により検出する。前記電圧変動から、電圧切替スイッチ５３をオンするための起点を任意に定める。例えば、放電状態から充電開始に切り替わるタイミングとなる、直流電圧の最小電圧点を起点として設定することができる。この直流電圧の最小電圧点は前述の通り１００Ｈｚで発生し、交流電源と同一の周波数となるため、間接的に交流電源の所定の電圧箇所を起点としたことと同意である。前記起点を、スイッチオン基準点Ｓｏｎとする。
【００３３】
尚、前述の起点はリップル電圧の最小電圧点に限られず、最大電圧点や、特定の電圧値を起点としても良い。
【００３４】
次に、前記起点を用いて電圧切替スイッチ５３をオンするタイミングについて、図５を用いて説明する。図５は、電圧切替スイッチ５３をオンするタイミングを制御する手順を示すフローチャートである。
【００３５】
冷蔵庫に電源投入すると、前述の整流ブリッジ回路５１とコンデンサ５２により直流電圧は全波整流電圧となる。次に、電圧切替カウンタＮ＝０とする。（図５のステップＳ１０1）冷蔵庫内の温度が、あらかじめ設定された設定温度に達している場合（図５のステップＳ１０２のＹｅｓ）、圧縮機２２は停止状態となる。（図５のステップＳ１１３）逆に、設定温度に達していない場合（図５のステップＳ１０２のＮｏ）、圧縮機運転を開始する。（図５のステップＳ１０３）次に、冷却運転により庫内温度が低下し設定温度に達した場合（図５のステップＳ１０４のＹｅｓ）、圧縮機２２を停止する。（図５のステップＳ１１３）設定温度に達していない場合（図５のステップＳ１０４のＮｏ）、現在の直流電圧利用率と、あらかじめ設定された倍電圧切替閾値Ａとを比較し、「現在の直流電圧利用率≧倍電圧切替閾値Ａ」を満たさない場合（図５のステップＳ１０５のＮｏ）、冷却運転の状態を維持する。「現在の直流電圧利用率≧倍電圧切替閾値Ａ」を満たす場合（図５のステップＳ１０５のＹｅｓ）、電圧切替スイッチ５３をオンする制御に用いるインターバル時間Ｔｗに、あらかじめ設定された遅延時間Ｔと電圧切替カウンタＮとを乗算し、インターバル時間Ｔｗ＝遅延時間Ｔ×Ｎとした値を設定する。（図５のステップＳ１０６）次に、直流電圧の最小電圧点である、スイッチオン基準点Ｓｏｎに到達していない場合（図５のステップＳ１０７のＮｏ）、状態を維持する。スイッチオン基準点Ｓｏｎに到達した場合（図５のステップＳ１０７のＹｅｓ）、次にインターバル時間Ｔｗの経過の判定に移る。インターバル時間Ｔｗの経過をしていない場合（図５のステップＳ１０８のＮｏ）、状態を維持したままインターバル時間Ｔｗの経過を待ち、経過した場合（図５のステップＳ１０８のＹｅｓ）、電圧切替スイッチ５３をオンする。（図５のステップＳ１０９）これにより、直流電圧は倍電圧整流電圧へ切替る。倍電圧整流電圧へ切替った後、電圧切替カウンタＮは１を加算し、Ｎ＝Ｎ＋１とする。（図５のステップＳ１１０）この時、前記電圧切替カウンタＮの値とあらかじめ設定されたＮの最大値Ｎｍａｘとを比較し、電圧切替カウンタＮ＞Ｎｍａｘを満たさない場合（図５のステップＳ１１１のＮｏ）はＮの値はそのまま維持とし、電圧切替カウンタＮ＞Ｎｍａｘを満たす場合（図５のステップＳ１１１のＹｅｓ）は、電圧切替カウンタＮ＝０とする。尚、Ｎｍａｘを設ける理由としては、Ｎの値を増加させる一方の場合、本来電圧切替を行いたいタイミングから一方的に遅延時間が大きくなり、圧縮機２２のインバータ制御および冷却制御へ影響を及ぼすリスクが発生するため、最大値Ｎｍａｘをあらかじめ定めておく。尚、Ｎｍａｘの設定手段の一例として、リップル電圧が１００Ｈｚを想定する場合、１周期が１０ｍｓであることを考慮し、インターバル時間Ｔｗ＝遅延時間Ｔ×Ｎが１０ｍｓ以下となるようにＮｍａｘを設定することが望ましい。このように、電圧切替カウンタＮの値を、電圧切替スイッチ５３をオンする毎に変更することで、電圧切替スイッチ５３をオンするタイミングを遅延時間Ｔずつずらしていくことが可能である。
【００３６】
その後、冷蔵庫内の温度が、あらかじめ設定された設定温度に達していない場合（図５のステップＳ１１１のＮｏ）、冷却運転状態を維持する。設定温度に達した場合（図５のステップＳ１１１のＹｅｓ）、圧縮機２２は停止状態となる。（図５のステップＳ１１３）圧縮機停止の後、図５のＳ１０２へ移行し、またあらかじめ設定された温度に到達していない場合（図５のステップＳ１０２のＮｏ）は圧縮機運転を開始（図５のステップＳ１０３）し、上記フローを繰り返す。
【００３７】
本制御を繰り返しに実施した際の、電圧切替タイミングについて、図６を用いて説明する。先ず、あらかじめ設定する遅延時間Ｔは、リップル電圧の周波数１００Ｈｚの１周期である１０ｍｓを８分割した、1．２５ｍｓを設定する。（Ｔ＝１．２５ｍｓ）また、Ｎｍａｘ＝８を設定する。よって、前述の制御によれば、Ｎ＝０からＮ＝７まではインターバル時間Ｔｗは増加していき、その後Ｎ＝Ｎ＋１によりＮ＝８になると電圧切替カウンタＮ＝０とし、Ｎ＝０から繰り返すことになる。本設定により、下記の通りの制御となる。
【００３８】
前述の通り、電源投入直後は電圧切替カウンタＮ＝０である。圧縮機運転後、「現在の直流電圧利用率≧倍電圧切替閾値Ａ」を満たした時に電圧切替スイッチ５３をオンするためのフローに移行する。この時、電圧切替カウンタＮ＝０であるため、インターバル時間Ｔｗ＝遅延時間Ｔ×Ｎ＝１．２５ｍｓ×０＝０となるため、スイッチオン基準点Ｓｏｎで電圧切替スイッチ５３をオンする。このとき、Ｎ＝Ｎ＋１によりＮ＝１とする。その後冷蔵庫内が設定温度に到達して圧縮機２２が停止し、再度圧縮機２２が運転した後、「現在の直流電圧利用率≧倍電圧切替閾値Ａ」を満たした時、再び電圧切替スイッチ５３をオンするためのフローに移行する。この時、電圧切替カウンタＮ＝１であるため、インターバル時間Ｔｗ＝遅延時間Ｔ×Ｎ＝１．２５ｍｓ×１＝１．２５ｍｓとなり、スイッチオン基準点ＳｏｎからＴｗ＝１．２５ｍｓだけ経過した後に電圧切替スイッチ５３をオンする。そして、Ｎ＝Ｎ＋１によりＮ＝２とする。その後冷蔵庫内が設定温度に到達して圧縮機２２が停止し、再度圧縮機２２が運転した後、「現在の直流電圧利用率≧倍電圧切替閾値Ａ」を満たした時、再び電圧切替スイッチ５３をオンするためのフローに移行する。この時、電圧切替カウンタＮ＝２であるため、インターバル時間Ｔｗ＝遅延時間Ｔ×Ｎ＝１．２５ｍｓ×２＝２．５０ｍｓとなり、スイッチオン基準点ＳｏｎからＴｗ＝２．５０ｍｓだけ経過した後に電圧切替スイッチ５３をオンする。このように、Ｔｗは１．２５ｍｓずつ増加していき、Ｎ＝７の時Ｔｗは８．７５ｍｓとなる。Ｎ＝７の次には、Ｎ＝Ｎ＋１によりＮ＝８となる。しかしながら、Ｎ＝８＝Ｎｍａｘとなるため、電圧切替カウンタＮ＝０とする。この後は、前述のＮ＝０からの繰り返しとなる。これにより、全波整流後の１００Ｈｚのリップル電圧を持つ直流電圧に対し、８回の均等な間隔で電圧切替スイッチ５３をオンすることとする。
【００３９】
以上の本発明の実施形態によれば、以下の効果を得ることができる。
電圧切替スイッチ５３がオンするタイミングを制御し、前記電圧切替スイッチ５３をオンした時に発生する突入電流の大きさを分散化させて、突入電流の大きさの偏りを発生させないことにより、電圧切替スイッチ５３の信頼性の評価を容易化し、電圧切替スイッチ５３の接点溶着に至る故障のリスクを低減させた信頼性の高い冷蔵庫を提供することができる。
【００４０】
また、前述では冷蔵庫の電源周波数が既知の条件であることを前提として述べたが、直流電圧検出回路５６および制御部５５を設けていることにより、直流電圧を制御部５５で検出した時に、前述のリップル電圧の変動を観測することができる。これにより、例えばリップル電圧値の最低電圧値から次の最低電圧値までの時間を観測すれば、リップル電圧の周波数を検出することができる。よって、前述した遅延時間Ｔは、あらかじめ設定せずに前記リップル電圧の周波数を観測できた後、あらかじめ設定されたＮの最大値Ｎｍａｘで割り算した値を設定することができる。これを用いれば、電源周波数がどのような周波数であっても、電源切替スイッチをオンするタイミングを電源周波数に合わせ均等に分割し、突入電流の大きさを分散可能である。
【００４１】
以上、本発明の実施形態について説明したが、例えば、スイッチオン基準点Ｓｏｎはリップル電圧の最大値や特定の電圧値を設定してもよい。
【００４２】
また、交流電圧から直流電圧に変換する際に用いる整流回路は、前述した整流ブリッジ回路５１による全波整流電圧ではなく、半波整流回路を用いた半波整流電圧を使用してもよい。
【符号の説明】
【００４３】
５１…整流ブリッジ回路、５２ａ，５２ｂ…コンデンサ、５３…電圧切替スイッチ、５４…インバータ回路、５６…直流電圧検出回路、５５…制御部、２２…圧縮機
【図１】
0006514982.tif 000002
【図２】
0006514982.tif 000003
【図３】
0006514982.tif 000004
【図４】
0006514982.tif 000005
【図５】
0006514982.tif 000006
【図６】
0006514982.tif 000007